(57)【要約】【課題】田植機において、苗のせ台への苗の補給の作業性を向上させる。【解決手段】左右方向に沿って往復横送り駆動される苗のせ台１０が設けられて、昇降機構３，４に支持された苗植付装置５と、機体１１の後部に設けられた予備苗のせ台２１とが備えられる。予備苗のせ台２１を左右方向に往復移動自在に機体１１に支持する移動支持機構２５，２９が備えられる。予備苗のせ台２１と苗のせ台１０とを接続して、苗のせ台１０の横移動を予備苗のせ台２１に伝達し、予備苗のせ台２１を苗のせ台１０と一緒に横移動させ、且つ、予備苗のせ台２１の苗を予備苗のせ台２１から苗のせ台１０の上部に案内する連動部材３１が備えられる。【選択図】図１
2020000162.tif 000002
【特許請求の範囲】
【請求項１】
機体の後部から後側に延出された昇降機構と、
左右方向に沿って往復横送り駆動される苗のせ台が設けられて、前記昇降機構に支持された苗植付装置と、
機体の後部に設けられた予備苗のせ台とが備えられ、
前記予備苗のせ台を左右方向に往復移動自在に機体に支持する移動支持機構と、
前記予備苗のせ台と前記苗のせ台とを接続して、前記苗のせ台の横移動を前記予備苗のせ台に伝達し、前記予備苗のせ台を前記苗のせ台と一緒に横移動させ、且つ、前記予備苗のせ台の苗を前記予備苗のせ台から前記苗のせ台の上部に案内する連動部材とが備えられている田植機。
【請求項２】
前記昇降機構による前記苗植付装置の昇降が前記予備苗のせ台に対して許容されるように、前記連動部材が、前記予備苗のせ台に上下に揺動自在に支持されている請求項１に記載の田植機。
【請求項３】
苗を支持する支持姿勢と、前記支持姿勢に対して後下がり状態となり、前記予備苗のせ台の苗を前記連動部材から前記苗のせ台に移動させる補給姿勢とに、前記予備苗のせ台を姿勢変更自在に支持する姿勢変更機構が備えられている請求項１又は２に記載の田植機。
【請求項４】
前記移動支持機構は、
左右方向に沿って前記機体に支持された支持レールと、
前記予備苗のせ台に設けられて、前記支持レールに沿って転がることにより前記予備苗のせ台を前記支持レールに沿って移動自在に支持する支持ローラーとを有し、
前記姿勢変更機構は、
前記支持ローラーが、前記支持レールに沿って転がらずに、前記支持レールの左右方向の軸芯周りに、前記支持レールの周囲に沿って摺動することにより、前記予備苗のせ台を前記支持姿勢と前記補給姿勢とに姿勢変更する請求項３に記載の田植機。
【請求項５】
前記苗のせ台の上部に設けられて、苗の存否を検出する上部苗センサーと、
前記苗のせ台の下部に設けられて、苗の存否を検出する下部苗センサーとが備えられている請求項１〜４のうちのいずれか一項に記載の田植機。
【発明の詳細な説明】
【技術分野】
【０００１】
本発明は、田植機において、苗植付装置の苗のせ台への苗補給の構成に関する。
【背景技術】
【０００２】
田植機では、特許文献１に開示されているように、予備苗のせ台を機体の後部に支持して、予備苗のせ台を苗植付装置の苗のせ台の上部に沿って配置したものがある。
特許文献１では、予備苗のせ台に事前に苗を載置しておき、植付作業の進行に伴って苗植付装置の苗のせ台の苗が少なくなると、植付作業を一時中断するのであり、苗のせ台の上部を予備苗のせ台の左右方向の位置に合わせるようにして、苗のせ台を停止させる。
これにより、予備苗のせ台の苗を後側に押し出すことによって、苗を予備苗のせ台から苗のせ台の上部に移動させることができるのであり、苗のせ台への苗の補給が行える。
【先行技術文献】
【特許文献】
【０００３】
【特許文献１】特開２０１２−２４４９１１号公報
【発明の概要】
【発明が解決しようとする課題】
【０００４】
特許文献１では、苗植付装置において往復横送り駆動される苗のせ台に対して、予備苗のせ台は機体に位置固定の状態である。
これにより、予備苗のせ台の苗を苗のせ台の上部に移動させる場合、植付作業を一時中断する必要があり、苗のせ台の上部を予備苗のせ台の左右方向の位置に合わせるようにして、苗のせ台を停止させる必要があるので、苗のせ台への苗の補給の作業性の面で改善の余地がある。
【０００５】
本発明は、田植機において、苗のせ台への苗の補給の作業性を向上させることを目的としている。
【課題を解決するための手段】
【０００６】
本発明の田植機は、
機体の後部から後側に延出された昇降機構と、
左右方向に沿って往復横送り駆動される苗のせ台が設けられて、前記昇降機構に支持された苗植付装置と、
前記機体の後部に設けられた予備苗のせ台とが備えられ、
前記予備苗のせ台を左右方向に往復移動自在に前記機体に支持する移動支持機構と、
前記予備苗のせ台と前記苗のせ台とを接続して、前記苗のせ台の横移動を前記予備苗のせ台に伝達し、前記予備苗のせ台を前記苗のせ台と一緒に横移動させ、且つ、前記予備苗のせ台の苗を前記予備苗のせ台から前記苗のせ台の上部に案内する連動部材とが備えられている。
【０００７】
本発明によると、予備苗のせ台が左右方向に往復移動自在に機体に支持されて、予備苗のせ台と苗のせ台とが連動部材により接続されるのであり、苗のせ台が往復横送り駆動されるのに伴って、予備苗のせ台も苗のせ台と一緒に左右方向に往復移動する。
これにより、植付作業中において（苗のせ台が往復横送り駆動されている状態において）、予備苗のせ台と苗のせ台とを、予備苗のせ台から苗のせ台への苗の移動が可能な位置関係に維持することができる。
【０００８】
従って、植付作業中において（苗のせ台が往復横送り駆動されている状態において）、予備苗のせ台の苗を連動部材から苗のせ台の上部に移動させることができるのであり、植付作業の中断を少なく抑えながら、苗のせ台への苗の補給を容易に行うことができるようになって、苗のせ台への苗の補給の作業性を向上させることができる。
【０００９】
本発明において、
前記昇降機構による前記苗植付装置の昇降が前記予備苗のせ台に対して許容されるように、前記連動部材が、前記予備苗のせ台に上下に揺動自在に支持されていると好適である。
【００１０】
田植機では、苗植付装置が、昇降機構を介して昇降自在に機体に支持されることが多くある。
本発明によると、予備苗のせ台と苗のせ台とが連動部材により接続されている状態において、苗植付装置が昇降操作されても、予備苗のせ台に対して連動部材が上下に揺動することにより、苗植付装置の昇降が許容されるので、予備苗のせ台及び連動部材の規制を受けることなく、苗植付装置の昇降操作を無理なく行うことができる。
【００１１】
本発明において、
苗を支持する支持姿勢と、前記支持姿勢に対して後下がり状態となり、前記予備苗のせ台の苗を前記連動部材から前記苗のせ台に移動させる補給姿勢とに、前記予備苗のせ台を姿勢変更自在に支持する姿勢変更機構が備えられていると好適である。
【００１２】
本発明によると、予備苗のせ台の苗を連動部材から苗のせ台に移動させる場合、予備苗のせ台を後下がり状態の補給姿勢に姿勢変更することにより、苗の自重を利用して、予備苗のせ台の苗を連動部材から苗のせ台の上部に無理なく移動させることができる。
【００１３】
本発明において、
前記移動支持機構は、
左右方向に沿って前記機体に支持された支持レールと、
前記予備苗のせ台に設けられて、前記支持レールに沿って転がることにより前記予備苗のせ台を前記支持レールに沿って移動自在に支持する支持ローラーとを有し、
前記姿勢変更機構は、
前記支持ローラーが、前記支持レールに沿って転がらずに、前記支持レールの左右方向の軸芯周りに、前記支持レールの周囲に沿って摺動することにより、前記予備苗のせ台を前記支持姿勢と前記補給姿勢とに姿勢変更すると好適である。
【００１４】
本発明によると、機体に支持された支持レールと、予備苗のせ台を支持する支持ローラーとを、移動支持機構に設けた場合、移動支持機構の支持ローラーが姿勢変更機構の一部に兼用されることになる。
これにより、移動支持機構と姿勢変更機構とにおいて、部材の兼用化を図ることができて、構造の簡素化の面で有利なものとなる。
【００１５】
本発明において、
前記苗のせ台の上部に設けられて、苗の存否を検出する上部苗センサーと、
前記苗のせ台の下部に設けられて、苗の存否を検出する下部苗センサーとが備えられていると好適である。
【００１６】
本発明によると、例えば苗のせ台において、上部苗センサー及び下部苗センサーの両方が苗を検出していると、苗のせ台に十分な量の苗が載置されていると判断できる。植付作業の進行に伴って、上部苗センサーが苗を検出しなくなると、苗のせ台の苗が少し消費されたと判断できるので、作業者は予備苗のせ台に苗を載置する等の準備を行えばよい。
【００１７】
次に植付作業の進行に伴って、下部苗センサーが苗を検出しなくなると、苗のせ台の苗が消費されて、苗のせ台に苗を補給すべき状態であると判断できるので、予備苗のせ台の苗を連動部材から苗のせ台に移動させればよい。
【００１８】
本発明によると、苗のせ台に苗を補給すべき状態になる前に、予備苗のせ台に苗を載置する等の準備を行うべき時期を適切に認識することができ、事前に準備を適切に行うことができるので、苗のせ台に苗を補給すべき状態になった際に、予備苗のせ台の苗を苗のせ台の上部に無理なく移動させることができる。
【図面の簡単な説明】
【００１９】
【図１】田植機の左側面図である。
【図２】田植機の平面図である。
【図３】予備苗のせ台及び連動部材の付近の左側面図である。
【図４】支持レールの付近の平面図である。
【図５】発明の実施の第１別形態において、田植機の平面図である。
【発明を実施するための形態】
【００２０】
本発明の実施形態における前後方向及び左右方向は、特段の説明がない限り、機体１１の作業走行時における前進側の進行方向が「前」であり、後進側の進行方向が「後」である。前後方向での前向き姿勢を基準として右側に相当する方向が「右」であり、左側に相当する方向が「左」である。
【００２１】
（乗用型田植機の全体構成）
図１及び図２に示すように、田植機は、右及び左の前輪１、右及び左の後輪２を備えた機体１１の後部に、リンク機構３（昇降機構に相当）が支持されて後側に延出されて、リンク機構３を昇降操作する油圧シリンダ４（昇降機構に相当）が備えられており、リンク機構３の後部に苗植付装置５が支持されている。
【００２２】
機体１１の左右中央部に運転座席１２が設けられ、カバー１３が操縦ハンドル１４の前側に設けられて、前輪１を操向操作する操縦ハンドル１４が、カバー１３の上部に設けられている。
【００２３】
機体１１に支持されたフロア１５の右部の前部及び左部の前部に、支持フレーム１６が上下方向に沿って配置されて、機体１１に連結されている。複数の固定予備苗のせ台１７が、支持フレーム１６に支持されている。
【００２４】
（苗植付装置の構成）
図１及び図２に示すように、苗植付装置５は、左右方向に所定間隔を置いて配置された植付伝動ケース６、植付伝動ケース６の後部の右部及び左部に回転自在に支持された回転ケース７、回転ケース７の両端に備えられた植付アーム８、フロート９、苗のせ台１０等を備えており、６条型式に構成されている。
【００２５】
苗植付装置５において、苗のせ台１０が左右に往復横送り駆動されるのに伴って、回転ケース７が回転駆動され、苗のせ台１０の下部から植付アーム８が交互に苗を取り出して田面に植え付ける。
【００２６】
苗のせ台１０に、苗が載置される６つの苗のせ面１０ａと、隣接する苗のせ面１０ａを仕切る縦壁状の仕切り部１０ｂとが設けられている。
ベルト型式の縦送り機構１８が、苗のせ台１０の苗のせ面１０ａの下部に設けられておち、苗のせ台１０が往復横送り駆動の右端部又は左端部に達すると、縦送り機構１８が所定ストロークだけ作動して、苗のせ台１０（苗のせ面１０ａ）の苗が下側に送られる。
【００２７】
苗が接触することにより苗の存否を検出する上部苗センサー１９が、苗のせ台１０の苗のせ面１０ａの上部に設けられている。苗が接触することにより苗の存否を検出する下部苗センサー２０が、苗のせ台１０の苗のせ面１０ａの下部に設けられている。
【００２８】
（機体の後部に設けられた予備苗のせ台の構成）
図１及び図２に示すように、機体１１の後部において、運転座席１２の後側に位置するように、予備苗のせ台２１が設けられている。
【００２９】
予備苗のせ台２１に、苗のせ台１０の横幅と同じ横幅を備えた横長状の支持部２２が設けられており、球体形状の多数のローラー２３が、前後方向の軸芯周りに自由回転自在に支持部２２に設けられている。
【００３０】
図３及び図４に示すように、機体１１の後部の機体フレーム２４に、丸パイプ状の支持レール２５（移動支持機構に相当）が、支持フレーム２６により左右方向に沿って支持されている。支持部２２の下部に支持板２７が連結され、支持板２７の下部にチャンネル状のブラケット２８が連結されている。
【００３１】
鼓状の支持ローラー２９（移動支持機構に相当）（姿勢変更機構に相当）が用意され、上及び下の支持ローラー２９が、ブラケット２８に前後方向の軸芯周りに自由回転自在に支持されており、上及び下の支持ローラー２９により支持レール２５が上下から挟まれている。
以上の構造により、予備苗のせ台２１が、支持レール２５及び支持ローラー２９によって、左右方向に往復移動自在に、機体１１の後部に支持されている。
【００３２】
上及び下の支持ローラー２９は、支持レール２５に沿って転がりながら移動することに加えて、支持レール２５に沿って転がらずに、支持レール２５の左右方向の軸芯Ｐ１周りに、支持レール２５の周囲に沿って摺動することが可能である。下の支持ローラー２９をブラケット２８から取り外すことによって、予備苗のせ台２１を支持レール２５から取り外すことができる。
【００３３】
これにより、予備苗のせ台２１は、上及び下の支持ローラー２９により、支持姿勢Ａ１と、支持姿勢Ａ１に対して後下がり状態となる補給姿勢Ａ２とに姿勢変更自在に支持されている。
【００３４】
丸棒状のストッパー３０が、機体フレーム２４の後部に左右方向に沿って支持されており、補給姿勢Ａ２に操作された予備苗のせ台２１（支持板２７）がストッパー３０に当たることにより、予備苗のせ台２１が補給姿勢Ａ２に保持される。
【００３５】
（連動部材の構成）
図１，２，３に示すように、連動部材３１が、予備苗のせ台２１の後部の左右方向の軸芯Ｐ２周りに上下に揺動自在に支持されている。
【００３６】
連動部材３１は、平板状に構成されて、苗のせ台１０の１つの苗のせ面１０ａの横幅を備えており、連動部材３１の後部に、切り欠き状の凹部３１ａが形成されている。苗のせ台１０の苗のせ面１０ａの各々に対応するように、６つの連動部材３１が予備苗のせ台２１に支持されている。
【００３７】
連動部材３１を下側に揺動させると、連動部材３１が苗のせ台１０の苗のせ面１０ａに入り込み、連動部材３１の右端部及び左端部が、苗のせ台１０の仕切り部１０ｂに接する状態となって、予備苗のせ台２１と苗のせ台１０とが接続された状態となる。
【００３８】
連動部材３１により予備苗のせ台２１と苗のせ台１０とが接続された状態において、苗のせ台１０が往復横送り駆動されると、苗のせ台１０の横移動が連動部材３１を介して予備苗のせ台２１に伝達されて、予備苗のせ台２１と苗のせ台１０とが一緒に横移動する状態となる。
【００３９】
苗のせ台１０の苗のせ面１０ａに、上下方向に沿って突部（図示せず）が形成されており、苗のせ台１０（苗のせ面１０ａ）の苗が下側に移動し易いように構成されている。連動部材３１を下側に揺動させて苗のせ台１０の苗のせ面１０ａに入り込ませた場合、連動部材３１の凹部３１ａに、苗のせ台１０の苗のせ面１０ａの突部が入り込むことにより、予備苗のせ台２１と苗のせ台１０との接続が、より確実なものとなる。
【００４０】
連動部材３１を下側に揺動させて苗のせ台１０の苗のせ面１０ａに入り込ませた場合、連動部材３１の凹部３１ａに、上部苗センサー１９が入り込む状態となるのであり、連動部材３１が上部苗センサー１９に接触することはない。
【００４１】
前述の（機体の後部に設けられた予備苗のせ台の構成）に記載のように、予備苗のせ台２１を補給姿勢Ａ２に操作すると、これに伴って連動部材３１が、苗のせ台１０の苗のせ面１０ａに沿って下側に移動する。このような状態になっても、上部苗センサー１９が連動部材３１の凹部３１ａの奥に入り込むだけで、連動部材３１が上部苗センサー１９に接触することはない。
【００４２】
（右及び左の苗補給機構の構成）
図１及び図２に示すように、機体１１の右部及び左に、右及び左の苗補給機構３２が設けられている。
【００４３】
苗補給機構３２に、苗のせ台１０の１つの苗のせ面１０ａの横幅と同じ横幅を備えた縦長状の支持部３３が設けられており、複数の搬送ベルト３４と、搬送ベルト３４を回転駆動する電動モータ（図示せず）とが設けられている。
【００４４】
支持部３３は、中央部分が少し高くなる側面視で山形状に構成されており、支持部３３の前部が支持フレーム１６に連結され、支持部３３の後部が支持フレーム３５により機体フレーム２４に連結されている。右及び左の支持部３３の後端部が、予備苗のせ台２１の右部の前端部及び左部の前端部に近接している。
【００４５】
作業者が機体１１に乗降する場合、カバー１３と右の支持フレーム１６（苗補給機構３２）との間、カバー１３と左の支持フレーム１６（苗補給機構３２）との間、右の苗補給機構３２の下側、左の苗補給機構３２の下側を通ればよい。
【００４６】
フロア１５において、運転座席１２の右前部及び左前部の下側の部分に、右及び左の作動ペダル３６が設けられている。
右の作動ペダル３６を踏み操作すると、右の苗補給機構３２の電動モータが作動して、右の苗補給機構３２の搬送ベルト３４が後側に回転駆動され、右の作動ペダル３６の踏み操作を止めると、右の苗補給機構３２の電動モータ（搬送ベルト３４）が停止する。
【００４７】
左の作動ペダル３６を踏み操作すると、左の苗補給機構３２の電動モータが作動して、左の苗補給機構３２の搬送ベルト３４が後側に回転駆動され、左の作動ペダル３６の踏み操作を止めると、左の苗補給機構３２の電動モータ（搬送ベルト３４）が停止する。
【００４８】
（植付作業における苗のせ台への苗の補給状態）
植付作業を開始する場合、図１，２，３に示すように、苗のせ台１０の苗のせ面１０ａの各々に十分な苗を載置し（上部苗センサー１９及び下部苗センサー２０の両方が苗を検出する状態）、固定予備苗のせ台１７と右及び左の苗補給機構３２に十分な苗を載置して、植付作業を開始する。
【００４９】
この場合、予備苗のせ台２１は支持姿勢Ａ１に操作しておき、連動部材３１は、上側に揺動させて苗のせ台１０の苗のせ面１０ａから上側に外しておく。これにより、苗のせ台１０が往復送り駆動されても、予備苗のせ台２１は支持姿勢Ａ１で停止している。
畦際での旋回時等のように、苗植付装置５が昇降操作されても、苗のせ台１０が予備苗のせ台２１及び連動部材３１に干渉することはない。
【００５０】
例えば、苗のせ台１０の中央の２つの苗のせ面１０ａの苗が少し消費されて、苗のせ台１０の中央の２つの苗のせ面１０ａの上部苗センサー１９が、苗を検出しない状態になったとする。
【００５１】
このような状態になると、警報ブザー（図示せず）が作動し、操縦パネル（図示せず）に表示される。
作業者は、植付作業を継続しながら、右（左）の作動ペダル３６を踏み操作して、右（左）の苗補給機構３２の搬送ベルト３４を作動させて、右（左）の苗補給機構３２の苗を予備苗のせ台２１の右部（左部）に送り込む。
【００５２】
作業者は、植付作業を継続しながら、予備苗のせ台２１の右部（左部）に送り込まれた苗を、手で押して、苗のせ台１０の中央の２つの苗のせ面１０ａに対応する予備苗のせ台２１の位置に移動させる。
【００５３】
次に、苗のせ台１０の中央の２つの苗のせ面１０ａの連動部材３１を、下側に揺動させて、苗のせ台１０の中央の２つの苗のせ面１０ａに入り込ませる。これにより、連動部材３１により予備苗のせ台２１と苗のせ台１０とが接続された状態となって、予備苗のせ台２１と苗のせ台１０とが一緒に横移動する状態となる。
【００５４】
畦際での旋回時等のように、苗植付装置５が昇降操作されても、苗のせ台１０の昇降に伴って、連動部材３１が予備苗のせ台２１の軸芯Ｐ２周りに上下に揺動する。これによって、予備苗のせ台２１に対して苗植付装置５（苗のせ台１０）の昇降が許容されるのであり、予備苗のせ台２１及び連動部材３１の規制を受けることなく、苗植付装置５（苗のせ台１０）の昇降操作が無理なく行われる。
【００５５】
次に、苗のせ台１０の中央の２つの苗のせ面１０ａの苗がさらに消費されて、苗のせ台１０の中央の２つの苗のせ面１０ａの下部苗センサー２０が、苗を検出しない状態になると、警報ブザー（図示せず）が作動し、操縦パネル（図示せず）に表示される。
【００５６】
これにより、作業者は、植付作業を継続しながら、予備苗のせ台２１を補給姿勢Ａ２に操作して、予備苗のせ台２１の苗を下側に移動させ、連動部材３１から、苗のせ台１０の中央の２つの苗のせ面１０ａの上部に移動させる。
【００５７】
予備苗のせ台２１において、ローラー２３は、前後方向の軸芯周りに回転するものであるが、球体形状であるので、予備苗のせ台２１の苗は、ローラー２３の表面を滑りながら下側に無理なく移動する。
【００５８】
苗のせ台１０の中央の２つの苗のせ面１０ａに、苗をさら補給する場合、連動部材３１を、上側に揺動させて苗のせ台１０の苗のせ面１０ａから上側に外して、前述と同じ操作を行えばよい。
右及び左の苗補給機構３２に苗が無くなった場合、植付作業を一時中断し、機体１１を停止させて、固定予備苗のせ台１７の苗を右及び左の苗補給機構３２に載置する。
【００５９】
（発明の実施の第１別形態）
予備苗のせ台２１及び苗補給機構３２を、図５に示すように構成してもよい。
予備苗のせ台２１を、苗のせ台１０の全ての苗のせ面１０ａに亘るように構成するのではなく、図５に示すように、苗のせ台１０の右の２つの苗のせ面１０ａに対応する右の予備苗のせ台２１及び連動部材３１と、苗のせ台１０の左の２つの苗のせ面１０ａに対応する左の予備苗のせ台２１及び連動部材３１とが設けられる。
【００６０】
右及び左の予備苗のせ台２１は、各々独立に左右方向に往復移動自在に、移動支持機構（支持レール２５）によって支持される。ローラー２３は左右方向の軸芯周りに、自由回転自在に支持されている。
【００６１】
右の予備苗のせ台２１に対応して苗を２列に支持可能な右の苗補給機構３２と、左の予備苗のせ台２１に対応して苗を２列に支持可能な左の苗補給機構３２とが設けられる。
苗のせ台１０の中央の２つの苗のせ面１０ａにおいては、予備苗のせ台２１及び苗補給機構３２を使用せずに、作業者が、固定予備苗のせ台１７や右及び左の苗補給機構３２から、苗を手で取り出して、苗のせ台１０の中央の２つの苗のせ面１０ａに補給する。
【００６２】
（発明の実施の第２別形態）
苗を左右方向に送る搬送ベルト（図示せず）、及び搬送ベルトを回転駆動する電動モータ（図示せず）を、予備苗のせ台２１に設けて、苗が苗補給機構３２から予備苗のせ台２１に送り込まれた後、苗のせ台１０の所望の苗のせ面１０ａに対応する予備苗のせ台２１の位置に、苗が搬送ベルトにより送られるように構成してもよい。
【００６３】
（発明の実施の第３別形態）
予備苗のせ台２１が、電動モータ（図示せず）により支持姿勢Ａ１及び補給姿勢Ａ２に操作されるように構成してもよい。
【００６４】
（発明の実施の第４別形態）
連動部材３１及び苗のせ台１０（苗のせ面１０ａ）において、一方に係合用の凸部（図示せず）を設け、他方に係合用の凹部（図示せず）を設けて、連動部材３１を下側に揺動させると、凸部が凹部に入り込むことにより、予備苗のせ台２１と苗のせ台１０とが接続された状態となるように構成してもよい。
【００６５】
（発明の実施の第５別形態）
予備苗のせ台２１及び連動部材３１を、以下の説明のように構成してもよい。
予備苗のせ台２１を、機体１１の機体フレーム２４に固定して、予備苗のせ台２１が左右方向に移動せず、且つ、支持姿勢Ａ１に固定されるようにする。
【００６６】
連動部材３１を、機体１１の左右方向に移動自在に支持し、水平姿勢及び後下がりの傾斜姿勢に姿勢変更自在に支持する。連動部材３１を苗のせ台１０に接続される状態、及び接続が解除された状態に設定できるように構成する。
【００６７】
以上の構成により、先ず連動部材３１を、水平姿勢に設定し、連動部材３１と苗のせ台１０との接続を解除して、植付作業を開始する。
次に上部苗センサー１９が苗を検出しない状態になると、右（左）の苗補給機構３２の苗を、予備苗のせ台２１に送り込み、予備苗のせ台２１から水平姿勢の連動部材３１に送り込む。連動部材３１を苗のせ台１０に接続される状態として、水平姿勢の連動部材３１と苗のせ台１０とが一緒に横移動する状態とする。
【００６８】
次に下部苗センサー２０が、苗を検出しない状態になると、水平姿勢の連動部材３１を傾斜姿勢に操作して、連動部材３１の苗を苗のせ台１０の苗のせ面１０ａの上部に移動させる。
【００６９】
（発明の実施の第６別形態）
ＧＰＳ装置及び自動走行装置を装備して、無人で自動的に走行する無人田植機としてもよい。この場合、上部苗センサー１９及び下部苗センサー２０に基いて、右（左）の苗補給機構３２（搬送ベルト３４）、予備苗のせ台２１及び連動部材３１が自動的に作動操作されるように構成すればよい。
【産業上の利用可能性】
【００７０】
本発明は、６条型式の田植機ばかりではなく、４条型式や８条型式、１０条型式の田植機にも適用できるのであり、施肥装置や薬剤散布装置を装備した田植機にも適用できる。
【符号の説明】
【００７１】
３    リンク機構（昇降機構）
４    油圧シリンダ（昇降機構）
５    苗植付装置
１０  苗のせ台
１１  機体
１９  上部苗センサー
２０  下部苗センサー
２１  予備苗のせ台
２５  支持レール（移動支持機構）
２９  支持ローラー（移動支持機構）（姿勢変更機構）
３１  連動部材
Ａ１  支持姿勢
Ａ２  補給姿勢
【図１】
2020000162.tif 000003
【図２】
2020000162.tif 000004
【図３】
2020000162.tif 000005
【図４】
2020000162.tif 000006
【図５】
2020000162.tif 000007